(57)【要約】      （修正有）【課題】特にボルトの脱落をより確実に防止する緩み止めナットを提供する。【解決手段】ネジ山が形成される１つのボルトを螺入するための２つの端部を有する本体１０と、前記本体１０の内部に形成される螺入穴１１と、前記本体１０の２つの端部にそれぞれ形成される第一開口１２及び第二開口と、前記本体１０における、前記第一開口１２が形成される端部に設けられ、固定部を具備する取付凹部と、リング状を呈し、前記ボルトのネジ山のピッチと等しい間隔をおいて該取付凹部の内部に設けられ、前記固定部により固定される複数の緩み止めバネ１５と、隣り合う前記緩み止めバネ１５同士の間に設けられるスペーサー１６と、を有することを特徴とする。【選択図】図１
0003182499.tif 000002
【実用新案登録請求の範囲】
【請求項１】
ネジ山が形成される１つのボルトを螺入するための２つの端部を有する本体と、
前記本体の内部に形成される螺入穴と、
前記本体の２つの端部にそれぞれ形成される第一開口及び第二開口と、
前記本体における、前記第一開口が形成される端部に設けられ、固定部を具備する取付凹部と、
リング状を呈し、前記ボルトのネジ山のピッチと等しい間隔をおいて該取付凹部の内部に設けられ、前記固定部により固定される複数の緩み止めバネと、
隣り合う前記緩み止めバネ同士の間に設けられるスペーサーと、を有することを特徴とする緩み止めナット。
【請求項２】
前記緩み止めバネの内縁に、複数の挟持アームが間隔をおいて配置されることを特徴とする請求項１に記載の緩み止めナット。
【請求項３】
２つの緩み止めバネと、１つのスペーサーとを有し、該各緩み止めバネは、互いに対向する２つの挟持アームを有することを特徴とする請求項２に記載の緩み止めナット。
【請求項４】
前記２つの緩み止めバネにおける各挟持アームは、他の緩み止めバネの挟持アームと対応する箇所に配置されることを特徴とする請求項３に記載の緩み止めナット。
【請求項５】
前記２つの緩み止めバネにおける各挟持アームは、他の緩み止めバネの挟持アームからずれた箇所に配置されることを特徴とする請求項３に記載の緩み止めナット。
【請求項６】
前記本体の外周面における第二開口の近傍にリベット溝が設けられ、
前記緩み止めナットは、該リベット溝に固設される緩み止め座金部材を有することを特徴とする請求項１ないし請求項５の何れか一項に記載の緩み止めナット。
【請求項７】
ネジ山が形成される１つのボルトを螺入するための
２つの端部を有する本体と、
前記本体の内部に形成される螺入穴と、
前記本体の２つの端部にそれぞれ形成される第一開口及び第二開口と、
前記本体における、前記第一開口が形成される端部に設けられ、固定部を具備する取付凹部と、
前記取付凹部の内周面に突設されるスペーサーと、
前記スペーサーの両側に形成される取付溝と、
リング状を呈し、前記ボルトのネジ山のピッチと等しい間隔をおいて該取付溝に設けられ、前記固定部により固定される複数の緩み止めバネと、
隣り合う前記緩み止めバネ同士の間に設けられるスペーサーと、を有することを特徴とする緩み止めナット。
【請求項８】
前記緩み止めバネの内縁に、複数の挟持アームが間隔をおいて配置されることを特徴とする請求項７に記載の緩み止めナット。
【請求項９】
２つの緩み止めバネと、１つのスペーサーとを有し、該各緩み止めバネは、互いに対向する２つの挟持アームを有することを特徴とする請求項８に記載の緩み止めナット。
【請求項１０】
前記２つの緩み止めバネにおける各挟持アームは、他の緩み止めバネの挟持アームと対応する箇所に配置されることを特徴とする請求項９に記載の緩み止めナット。
【請求項１１】
前記２つの緩み止めバネにおける各挟持アームは、他の緩み止めバネの挟持アームからずれた箇所に配置されることを特徴とする請求項９に記載の緩み止めナット。
【請求項１２】
前記本体の外周面における第二開口の近傍にリベット溝が設けられ、
前記緩み止めナットは、該リベット溝に固設される緩み止め座金部材を有することを特徴とする請求項７ないし請求項１１の何れか一項に記載の緩み止めナット。
【考案の詳細な説明】
【技術分野】
【０００１】
本考案は、特にボルトの脱落を防止する緩み止めナットに関するものである。
【背景技術】
【０００２】
図１０に示すように、従来のナットは、本体９０と、該本体９０の内部に形成される螺入穴９１と、該本体９０の両端部にそれぞれ形成される第一開口及び第二開口と、該本体９０における該第一開口が形成される端部に設けられる取付凹部９２と、該取付凹部９２に設けられると共に、内径が該第一開口より小径の緩み止めバネ９３とを有し、ボルト９４を第二開口からこの従来のナットの螺入穴９１に螺入するとき、該緩み止めバネ９３の末端が該ボルト９４のネジ山の側面を挟持し、該ボルト９４を締め付けて固定することにより、振動などによるボルト９４の脱落を防止する。
【考案の概要】
【考案が解決しようとする課題】
【０００３】
しかしながら、前記従来のナットには、１つの緩み止めバネ９３しか設けられていなく、また、該ボルト９４における緩み止めバネ９３の末端で挟持する箇所がネジ山の端部近傍であることから、該緩み止めバネ９３による該ボルト９４への保持力では、ボルト９４の緩み及び脱落を効果的に防止することができなかった。
【０００４】
そこで、案出されたのが本考案であって、ボルトの脱落を効果的に防止することができる緩み止めナットを提供することを目的としている。
【課題を解決するための手段】
【０００５】
本願の請求項１の考案は、ネジ山が形成される１つのボルトを螺入するための２つの端部を有する本体と、
前記本体の内部に形成される螺入穴と、
前記本体の２つの端部にそれぞれ形成される第一開口及び第二開口と、
前記本体における、前記第一開口が形成される端部に設けられ、固定部を具備する取付凹部と、
リング状を呈し、前記ボルトのネジ山のピッチと等しい間隔をおいて該取付凹部の内部に設けられ、前記固定部により固定される複数の緩み止めバネと、
隣り合う前記緩み止めバネ同士の間に設けられるスペーサーと、を有することを特徴とする緩み止めナット、を提供する。
【０００６】
本願の請求項２の考案は、前記緩み止めバネの内縁に、複数の挟持アームが間隔をおいて配置されることを特徴とする請求項１に記載の緩み止めナット、を提供する。
【０００７】
本願の請求項３の考案は、２つの緩み止めバネと、１つのスペーサーとを有し、該各緩み止めバネは、互いに対向する２つの挟持アームを有することを特徴とする請求項２に記載の緩み止めナット、を提供する。
【０００８】
本願の請求項４の考案は、前記２つの緩み止めバネにおける各挟持アームは、他の緩み止めバネの挟持アームと対応する箇所に配置されることを特徴とする請求項３に記載の緩み止めナット、を提供する。
【０００９】
本願の請求項５の考案は、前記２つの緩み止めバネにおける各挟持アームは、他の緩み止めバネの挟持アームからずれた箇所に配置されることを特徴とする請求項３に記載の緩み止めナット、を提供する。
【００１０】
本願の請求項６の考案は、前記本体の外周面における第二開口の近傍にリベット溝が設けられ、
前記緩み止めナットは、該リベット溝に固設される緩み止め座金部材を有することを特徴とする請求項１ないし請求項５の何れか一項に記載の緩み止めナット、を提供する。
【００１１】
本願の請求項７の考案は、ネジ山が形成される１つのボルトを螺入するための
２つの端部を有する本体と、
前記本体の内部に形成される螺入穴と、
前記本体の２つの端部にそれぞれ形成される第一開口及び第二開口と、
前記本体における、前記第一開口が形成される端部に設けられ、固定部を具備する取付凹部と、
前記取付凹部の内周面に突設されるスペーサーと、
前記スペーサーの両側に形成される取付溝と、
リング状を呈し、前記ボルトのネジ山のピッチと等しい間隔をおいて該取付溝に設けられ、前記固定部により固定される複数の緩み止めバネと、
隣り合う前記緩み止めバネ同士の間に設けられるスペーサーと、を有することを特徴とする緩み止めナット、を提供する。
【００１２】
本願の請求項８の考案は、前記緩み止めバネの内縁に、複数の挟持アームが間隔をおいて配置されることを特徴とする請求項７に記載の緩み止めナット、を提供する。
【００１３】
本願の請求項９の考案は、２つの緩み止めバネと、１つのスペーサーとを有し、該各緩み止めバネは、互いに対向する２つの挟持アームを有することを特徴とする請求項８に記載の緩み止めナット、を提供する。
【００１４】
本願の請求項１０の考案は、前記２つの緩み止めバネにおける各挟持アームは、他の緩み止めバネの挟持アームと対応する箇所に配置されることを特徴とする請求項９に記載の緩み止めナット、を提供する。
【００１５】
本願の請求項１１の考案は、前記２つの緩み止めバネにおける各挟持アームは、他の緩み止めバネの挟持アームからずれた箇所に配置されることを特徴とする請求項９に記載の緩み止めナット、を提供する。
【００１６】
本願の請求項１２の考案は、前記本体の外周面における第二開口の近傍にリベット溝が設けられ、
前記緩み止めナットは、該リベット溝に固設される緩み止め座金部材を有することを特徴とする請求項７ないし請求項１１の何れか一項に記載の緩み止めナット、を提供する。
【考案の効果】
【００１７】
本考案は上記の課題を解決するものであり、複数の緩み止めバネを有する構成により、ボルトを締め付ける固定力が増大するのみならず、隣り合う緩み止めバネ同士の距離と該ボルトのネジ山のピッチとを一致させることにより、ボルトをより確実に締め付けられるので、より効果的に振動などによるボルトの脱落を防止することができる。
【図面の簡単な説明】
【００１８】
【図１】本考案に係る緩み止めナットの第一実施例の分解斜視図である。
【図２】本考案に係る緩み止めナットの第一実施例の斜視図である。
【図３】本考案に係る緩み止めナットの第一実施例の断面図である。
【図４】本考案に係る緩み止めナットの第一実施例の使用状態を示す断面図である。
【図５】本考案に係る緩み止めナットの第二実施例の平面図である。
【図６】本考案に係る緩み止めナットの第二実施例の斜視図である。
【図７】本考案に係る緩み止めナットの第三実施例の分解斜視図である。
【図８】本考案に係る緩み止めナットの第三実施例の断面図である。
【図９】本考案に係る緩み止めナットの第四実施例の断面図である。
【図１０】従来の緩み止めナットの使用状態を示す断面図である。
【考案を実施するための形態】
【００１９】
図１ないし図４に示すように、本考案に係る緩み止めナットの第一実施例は、ネジ山が形成される１つのボルト２０を螺入するためのものである。
【００２０】
前記緩み止めナットは、２つの端部を有する本体１０と、該本体１０の内部に形成される螺入穴１１と、該本体１０の２つの端部にそれぞれ形成される第一開口１２及び第二開口１３と、該本体１０における、第一開口１２が形成される端部に設けられ、固定部１８を具備する取付凹部１４と、リング状を呈し、間隔をおいて該取付凹部１４の内部に設けられ、該固定部１８により固定される複数の緩み止めバネ１５と、隣り合う前記緩み止めバネ１５同士の間に設けられるスペーサー１６とを有し、また、該複数の緩み止めバネ１５の隣同士の間隔は、前記ボルト２０のネジ山のピッチに等しい。
【００２１】
図７及び図８に示す実施例は、２つの端部を有する本体１０と、該本体の内部に形成される螺入穴１１と、該本体１０の２つの端部にそれぞれ形成される第一開口１２及び第二開口１３と、該本体１０における、該第一開口１２が形成される端部に設けられ、固定部１８を具備する取付凹部１４と、該取付凹部１４の内周面に一体に突設されるスペーサー１６と、該スペーサー１６の両側に形成される取付溝と、リング状を呈し、該取付溝にそれぞれ設けられ、前記固定部１８により固定される複数の緩み止めバネ１５とを有する。尚、隣り合う前記緩み止めバネ同士の間隔は、前記ボルト２０のネジ山のピッチに等しく、組み合わせる時には、まず、１つの緩み止めバネ１５を前記螺入穴１１の最も近い取付溝に固設してから、他の緩み止めバネ１５を順次に固設してもよい。
【００２２】
前記緩み止めナットは、２つの緩み止めバネ１５と、１つのスペーサー１６とを有し、該緩み止めバネ１５の内縁に、複数の挟持アーム１７が間隔をおいて配置されると共に、該各緩み止めバネ１５は、互いに対向する２つの挟持アーム１７を有する。尚、図２及び図３に示す実施例のように、前記２つの緩み止めバネ１５における各挟持アーム１７は、他の緩み止めバネ１５の挟持アーム１７と対応する箇所に配置されてもよく、また、図５及び図６に示す実施例のように、他の緩み止めバネ１５の挟持アーム１７からずれた箇所に配置されても構わない。
【００２３】
更に、必要に応じて、前記本体１０の取付凹部１４の内部に２つまたは３つの緩み止めバネ１５を設置してもよく、この場合、該複数の緩み止めバネ１５及び隣り合う緩み止めバネ１５の間にスペーサー１６を設置してから、前記本体１０に圧力をかけ、その一部を潰すことより、固定部によって複数の緩み止めバネ１５及びスペーサー１６を固定する。
【００２４】
図９に示すように、前記本体１０の外周面における第二開口１３の近傍にリベット溝が設けられる。尚、図９に示す実施例においては、緩み止めナットが、前記リベット溝に固設される緩み止め座金部材３０を有する。
【００２５】
図４に示すように、前記ボルト２０を第二開口１３から本体１０の螺入穴１１に螺入するとき、該ボルト２０の末端が前記緩み止めナットの緩み止めバネ１５の挟持アーム１７を押し通し、前記本体１０の第一開口１２から突出する。なお、この時、前記ボルト２０における、前記第一開口１２から突出する部分に二条ネジ山が切られてもよい。これにより、前記のボルト２０の末端が前記緩み止めバネ１５の挟持アーム１７を押し通す時、螺入されるボルト２０に押された挟持アーム１７が変形し、該ボルト２０のネジ山２１の谷部にまで圧力をかけて挟持することができる。
【産業上の利用可能性】
【００２６】
本考案は上記の構成を有するので、本考案に係る緩み止めナットは、複数の緩み止めバネを有する構成により、この複数の緩み止めバネにおける挟持アームでボルトのネジ山を挟持し、ボルトを締め付ける保持力を増大させることができ、また、隣り合う前記複数の緩み止めバネの間隔は、ボルトのネジ山のピッチと等しいことから、挟持アームによりボルトのネジ山をより確実に挟持することができるので、振動などによるボルトの脱落を確実に防止することができる。
【符号の説明】
【００２７】
１０          本体          １１          螺入穴
１２          第一開口      １３          第二開口
１４          取付凹部      １５          緩み止めバネ
１６          スペーサー    １７          挟持アーム
２０          スペーサー    ２１          ネジ山
３０          緩み止め座金部材
９０          本体          ９１          螺入穴
９２          取付凹部      ９３          緩み止めバネ
９４          ボルト
【図１】
0003182499.tif 000003
【図２】
0003182499.tif 000004
【図３】
0003182499.tif 000005
【図４】
0003182499.tif 000006
【図５】
0003182499.tif 000007
【図６】
0003182499.tif 000008
【図７】
0003182499.tif 000009
【図８】
0003182499.tif 000010
【図９】
0003182499.tif 000011
【図１０】
0003182499.tif 000012